(57)【要約】【課題】テレビジョン受像機の状態設定変更装置において、リモコンの操作キーが増えたり専用キーを必要とすることなく、ディスプレイ画面にセットアップ画面を表示することなく、表示画面のアスペクト比の変更設定等の操作を簡単に行えるようにする。【解決手段】映像信号の表示画面３上に表示されるアスペクトを異ならしめるアスペクト変換回路を備え、リモコンからの入力信号に応じてアスペクト変更モードに入り、アスペクトを変更するためのリモコンの特定キー及び数字キー入力に対応する文字又は数字を表示画面３に表示し、これに応じて表示画面３に表示する映像のアスペクトを変更してプレビューさせ、かつアスペクトを変更する。このプレビューが行われることで、表示画面に設定変更のためのメニューを表示することなく表示画面のアスペクトの設定変更を可能とした。【選択図】図３
2005303860.tif 000002
【特許請求の範囲】
【請求項１】
アスペクト比４：３及び１６：９の画像を表示できる表示画面と、入来した映像信号の前記表示画面上に表示されるアスペクトを異ならしめるアスペクト変換回路とを備え、リモコンからの入力信号に応じて少なくとも表示画面のアスペクトを設定変更可能なテレビジョン受像機の状態設定変更装置において、
少なくともアスペクト変更モードに入り、アスペクトを変更するためのリモコンに設けられた特定キー及び数字キーを含む指示手段と、
この指示手段による指示が入力されたとき、それに対応する文字又は数字を表示画面に表示し、さらに、該入力指示に応じて前記アスペクト変換回路を動作させて前記表示画面に表示する映像のアスペクトを変更してプレビューさせ、かつアスペクトを変更する制御手段とを備え、
このプレビューが行われることで、表示画面に設定変更のためのメニューを表示することなく表示画面のアスペクトの設定変更を可能としたことを特徴とするテレビジョン受像機の状態設定変更装置。
【請求項２】
異なるアスペクト比の画像を表示できる表示画面と、入来した映像信号の前記表示画面上に表示されるアスペクトを異ならしめるアスペクト変換回路とを備え、リモコンからの入力信号に応じて少なくとも表示画面のアスペクトを設定変更可能なテレビジョン受像機の状態設定変更装置において、
少なくともアスペクト変更モードに入り、アスペクトを変更するためのリモコンに設けられた指示手段と、
この指示手段による指示が入力されたとき、それに対応してアスペクト変換回路を動作させて前記表示画面に表示する映像のアスペクトを変更する制御手段とを備え、
表示画面に設定変更のためのメニューを表示することなく表示画面のアスペクトの設定変更を可能としたことを特徴とするテレビジョン受像機の状態設定変更装置。
【請求項３】
リモコンに、数字番号とそれに関連する画面設定内容を表示する表示部と、
リモコンの操作キーにより前記表示部の表示内容をスクロール可能とする構成とを有し、
前記表示内容をもとに前記指示手段による入力を可能としたことを特徴とする請求項２記載のテレビジョン受像機の状態設定変更装置。
【発明の詳細な説明】
【技術分野】
【０００１】
本発明は、リモコンによるテレビジョン受像機の状態設定変更装置に関するものである。
【背景技術】
【０００２】
従来のリモコン操作によるセットボックス（ＳＴＢ）等の設定変更装置としては、ディスプレイ画面にセットアップ画面又はメニューを表示させ、そのセットアップ画面を見ながら、リモコンからカーソルキー等による操作指示を与えるものが一般に知られている（例えば、特許文献１参照）。このような装置においては、リモコンの操作キーは少なくてよく、操作が簡単であるという利点がある。
【特許文献１】特開昭６３−２０８３７２号公報
【発明の開示】
【発明が解決しようとする課題】
【０００３】
ところが、上記装置のようにディスプレイ画面にセットアップ画面を表示するので、視聴中の映像を隠して設定操作を行うことになり、視聴を阻害することになる。この視聴阻害は、表示画面のアスペクト比の変更設定等を行う場合には影響が大きい。
【０００４】
最近では、アスペクト比１６：９のワイドアスペクトの表示画面を備えたワイドテレビジョン受像機（ワイドＴＶ）が登場しており、映像ソースとしてアスペクト比４：３ではあるが上下の部分に無画部（マスク部分）が存在するソースや、映像の存在する範囲（垂直サイズ）が異なる種々の態様のソースが供給さている。映像ソースをワイドＴＶにそのまま表示すると、横伸びの映像となるが、視聴者がアスペクト変換を手動設定すれば、映像の存在する垂直方向中央部のアスペクト比１６：９の範囲の映像が拡大され、ワイドアスペクトの映像表示部を生かした表示が可能となる。これを実現するため、視聴者の好みにより映像のアスペクトを変換するためのアスペクト変換回路が備えられている。
【０００５】
このようなアスペクト比４：３の映像信号を表示させる際のモードが複数存在するとすると、リモコンにはそれらのモードに対応した複数のアスペクト指定キーが設けられており、視聴者は映像ソースが切り替わる度にその映像に合わせていずれのモードが適当かを判断し、そのモードに対応したアスペクト指定キーを押すことによりアスペクト変換を行う。このため、リモコンの操作キーが増え、又は専用キーが必要になり、繁雑な操作となっていた。
【０００６】
本発明は、上記問題を解消するもので、リモコンの操作キーが増えたり専用キーを必要とすることなく、しかもディスプレイ画面にセットアップ画面を表示することなく、表示画面のアスペクト比の変更設定等の操作を簡単に行えるようにしたテレビジョン受像機の状態設定変更装置を提供することを目的とする。
【課題を解決するための手段】
【０００７】
上記目的を達成するために、請求項１の発明は、アスペクト比４：３及び１６：９の画像を表示できる表示画面と、入来した映像信号の前記表示画面上に表示されるアスペクトを異ならしめるアスペクト変換回路とを備え、リモコンからの入力信号に応じて少なくとも表示画面のアスペクトを設定変更可能なテレビジョン受像機の状態設定変更装置において、少なくともアスペクト変更モードに入り、アスペクトを変更するためのリモコンに設けられた特定キー及び数字キーを含む指示手段と、この指示手段による指示が入力されたとき、それに対応する文字又は数字を表示画面に表示し、さらに、該入力指示に応じて前記アスペクト変換回路を動作させて前記表示画面に表示する映像のアスペクトを変更してプレビューさせ、かつアスペクトを変更する制御手段とを備え、このプレビューが行われることで、表示画面に設定変更のためのメニューを表示することなく表示画面のアスペクトの設定変更を可能としたことを特徴とする。
【０００８】
請求項２の発明は、異なるアスペクト比の画像を表示できる表示画面と、入来した映像信号の前記表示画面上に表示されるアスペクトを異ならしめるアスペクト変換回路とを備え、リモコンからの入力信号に応じて少なくとも表示画面のアスペクトを設定変更可能なテレビジョン受像機の状態設定変更装置において、少なくともアスペクト変更モードに入り、アスペクトを変更するためのリモコンに設けられた指示手段と、この指示手段による指示が入力されたとき、それに対応してアスペクト変換回路を動作させて前記表示画面に表示する映像のアスペクトを変更する制御手段とを備え、表示画面に設定変更のためのメニューを表示することなく表示画面のアスペクトの設定変更を可能としたことを特徴とする。
【０００９】
請求項３の発明は、請求項２記載のテレビジョン受像機の状態設定変更装置において、リモコンに、数字番号とそれに関連する画面設定内容を表示する表示部と、リモコンの操作キーにより前記表示部の表示内容をスクロール可能とする構成とを有し、前記表示内容をもとに前記指示手段による入力を可能としたことを特徴とする。
【発明の効果】
【００１０】
請求項１の発明によれば、リモコンの特定キー及び数字キーによる指示が入力されると、それに対応する文字又は数字が表示画面に表示され、さらに、表示画面の映像のアスペクトを変更してプレビュー表示が行われ、アスペクトが変更される。このため、ユーザは入力に対応する文字又は数字を確認するとともにプレビュー表示を見ることで、所望の設定に変更されているかを確認できる。従って、表示画面に設定変更のためのセットアップ画面やメニューを表示することなく、つまりは視聴中の映像を阻害することなく、表示画面のアスペクトの設定変更を容易に行うことができる。
【００１１】
請求項２の発明によれば、リモコンからの指示が入力されると、それに対応して表示画面の映像のアスペクトが変更される。このため、上記と同様、視聴中の映像を阻害することなく、表示画面のアスペクトの設定変更を容易に行うことができる。
【００１２】
請求項３の発明によれば、リモコンのキー操作により表示部の表示内容をスクロールすることで、その表示内容をもとに指示手段による設定変更のための入力を行うことができ、より容易に設定変更することができる。
【発明を実施するための最良の形態】
【００１３】
以下、本発明のリモコンによるワイドテレビジョン受像機（ＳＴＢ）の状態設定変更装置（本装置という）について図面を参照して説明する。図１は本装置のブロック構成を示し、図２は同受像機で用いるリモコンの一例を示す図、図３は同受像機の表示画面の変化を示す図である。
【００１４】
図１において、本装置は、映像信号が入力される画像分析回路１、アスペクト変換回路２、映像を表示するブラウン管等の表示画面３、リモコン解析マイコン４、リモコン受信回路５、及びリモコン６から構成される。画像分析回路１は、入来した映像信号の上下にマスク部分がある映像であるか等を分析するものであり、その分析結果をアスペクト変換回路２に入力する。アスペクト変換回路２は、画像分析回路１による指示又はリモコン解析マイコン４による指示によって入力された映像信号のアスペクトを変換し、表示画面３に供給する。表示画面３は、アスペクト比４：３及び１６：９の画像を表示できるものである。
【００１５】
リモコン６には、図２に示すように、アスペクト変換等の指示を行うセットアップキーＳ（特定キー：指示手段）が備えられており、視聴者がこのセットアップキーＳを押すと、リモコン受信回路５はリモコン６より送信された信号を受信し、その情報をリモコン解析マイコン４に入力する。リモコン解析マイコン４がリモコン６のセットアップキーＳが押されてアスペクト変換の指示がなされたと判断すると、リモコン解析マイコン４は指示されたアスペクトにするようアスペクト変換回路２に指令を出す。
【００１６】
本装置においては、リモコン６からの入力信号に応じて、チャンネル切換や表示画面のアスペクトを設定変更可能な他に、内蔵時計の夏時間のオン、オフ、音声言語の変換が可能とされている。いま、図３（ａ）に示すように、表示画面３に表示されている画面がアスペクト比１６：９のサイドバー表示の状態から、視聴者（ユーザ）によってセットアップキーＳが押されると、図３（ｂ）に示すように、本装置のリモコン解析マイコン４は設定変更モードに入ったと判断して、表示画面３内に“SETUP”の文字ＡのみをＯＳＤ表示する。ここで、リモコン６の数字キーＮで１，０を入力すると、リモコン解析マイコン４（制御手段）はアスペクト変換回路２（制御手段）に指令を出し、図３（ｃ）に示すように、“SETUP 10”の文字・数字ＢのみをＯＳＤ表示し、続いて、図３（ｄ）に示すように、アスペクト比４：３のレターボックス表示ブレビューとなる。ここに、“SETUP 10”は、アスペクト比４：３（ノーマル）のレターボックス表示変更に割り当てられているものとする。ユーザは、文字・数字Ｂの表示と、このブレビュー表示画面を確認して、ＯＫであれば、確定キーＫを押すことで、アスペクト変更設定が確定される。ＯＫでなければ、ユーザはリモコン６の戻るキーＭを押して、再度、数字キーＮで他の数字を適宜に入力することで、他の設定に切り替わる。
【００１７】
図４は、数字番号とそれに関連する設定の例を示している。このような表は、取扱い説明書に記載しておき、ユーザは不慣れな間は適宜にこの表を確認して操作を行い、操作に習熟してくれば、適当な数字を入力してやれば、ブレビュー表示されるので、それを確認して適宜に繰り返すことで、意図する変更設定を行うことができる。
【００１８】
図５は、本実施形態におけるリモコン解析マイコン４の処理手順を示すフローである。セットアップキーＳが押されると（＃１）、設定変更モードに入り（＃２）、数字キーがオンされると（＃３）、プレビュー表示となり（＃４）、確定キーがオンされると（＃５）、設定内容が確定される（＃６）。＃５においてＮＯで、戻りキーオンなら（＃７・ＹＥＳ）、処理は＃３に戻る。＃７でＮＯなら、一定時間経過前は（＃８・ＮＯ）、＃５に戻る。一定時間経過すると（＃８・ＹＥＳ）、＃６へ進む。こうして、上述した動作が得られる。
【００１９】
このように、本装置によれば、設定変更モードにおいて、表示画面内には文字・数字が表示されるのみであり、ほとんど映像を阻害することはなく、映像のアスペクトを変更してプレビューさせ、このプレビューが行われるので、表示画面３に設定変更のためのセットアップ画面やメニューを表示することなく、表示画面３のアスペクトの設定変更が可能となる。従って、視聴中の映像を阻害することはなく、簡単な操作で表示画面のアスペクト等の設定変更を行うことができる。
【００２０】
また、上記実施形態において、アスペクト比によっては画面にマスク（ブランク）部分があるので、その場合には、その部分を利用して、設定変更モードにおいて入力された数字とそれに関連する設定内容をアイコン状のもので表示するようにすれば、上記の効果に加えて、より分かり易いものとなる。
【００２１】
図６は、さらに他の実施形態によるリモコン６０を示している。この実施形態によるリモコン６０は、数字番号とそれに関連する画面設定内容を表示するＬＣＤ等の表示部６１を備えており、リモコン６０の操作キーにより表示部６１の表示内容をスクロール可能な構成を有している。この表示部６１の表示内容をもとに数字キーによる入力を可能としている。この構成によれば、より容易に設定変更操作を行うことができる
【００２２】
なお、本発明は、上記実施例の構成に限られることなく、発明の趣旨を変更しない範囲で種々の変形が可能である。例えば、上記では、セットアップキーＳが押された後、設定変更モードに入り、その後に数字キーを押すものとしたが、ここで、数字キーに代えて、もう１度セットアップキーＳが押されると、アスペクト比が所定のものに変更されるものとしてもよい。そして、そのプレビュー表示を視聴者が見て満足しなかったなら、さらにセットアップキーＳを押すことにより、順次、設定内容がスクロールされるようにしても構わない。
【図面の簡単な説明】
【００２３】
【図１】本発明の一実施形態によるテレビジョン受像機の状態設定変更装置のブロック構成図。
【図２】同受像機で用いるリモコンの一例を示す正面図。
【図３】同受像機の表示画面の変化を示す図。
【図４】本装置における数字番号とそれに関連する設定の例を示す図。
【図５】本実施形態におけるリモコン解析マイコンの処理手順を示すフロー図。
【図６】さらに他の実施形態によるリモコンを示す正面図。
【符号の説明】
【００２４】
２  アスペクト変換回路（制御手段）
３  表示画面
４  リモコン解析マイコン（制御手段）
５  リモコン受信回路
６  リモコン
６０  リモコン
６１  表示部
Ｓ  セットアップキー（特定キー：指示手段）
Ｎ  数字キー（指示手段）
【図１】
2005303860.tif 000003
【図２】
2005303860.tif 000004
【図３】
2005303860.tif 000005
【図４】
2005303860.tif 000006
【図５】
2005303860.tif 000007
【図６】
2005303860.tif 000008